(57)【要約】【課題】制御基板とその周囲の電気的接続手段に対する不正行為を防止すると同時に、制御基板を種々の電磁ノイズから保護することが可能な遊技機を提供することを。【解決手段】前記制御装置と、少なくともこの制御装置に接続される電気的接続手段５０の全部又は一部を覆うカバー部材７０を、筐体内部のいずれかの場所に取り付け、前記カバー部材７０は、少なくとも防磁又は防電波部材により形成した。【選択図】    図１
2004254975.tif 000002
【特許請求の範囲】
【請求項１】
正面側に開口する筺体と、
筐体の開口部を開閉自在に塞ぐ前扉と、
遊技機の作動を制御するための制御装置と、
遊技機を構成する構成部品を電気的に接続する電気的接続手段を少なくとも有する遊技機において、
前記制御装置と、少なくともこの制御装置に接続される電気的接続手段の全部又は一部を覆うカバー部材を、筐体内部のいずれかの場所に取り付け、
前記カバー部材は、少なくとも防磁又は防電波部材により形成されていることを特徴とする遊技機。
【請求項２】
前記遊技機は、
少なくとも前記制御装置を支持体に設置した交換ユニットを、筐体内部に着脱自在に形成した分離型遊技機であり、
前記カバー部材は、前記交換ユニットの着脱を妨げない位置に移動可能に形成されていることを特徴とする請求項１記載の遊技機。
【請求項３】
前記カバー部材は、前記交換ユニットに取り付け可能であることを特徴とする請求項２記載の遊技機。
【請求項４】
前記カバー部材と、前記筐体内面との間に、封印を施したことを特徴とする請求項１乃至３のいずれか１項に記載の遊技機。
【請求項５】
前記カバー部材と、前記交換ユニットとの間に、封印を施したことを特徴とする請求項２乃至４記載の遊技機。
【発明の詳細な説明】
【０００１】
【発明の属する技術分野】
この発明は、ホールに設置されるパチンコ機やスロットマシンなどの遊技機、さらに詳しくは、遊技を司る制御装置を不正行為や静電ノイズから保護するように形成した遊技機に関するものである。
【０００２】
【従来の技術】
従来より、この種の遊技機においては、遊技作動を制御する制御基板は、不正なＲＯＭ交換などの違法行為を防ぐために、基板ケースに収納され封印を施してある。しかし、制御基板を遊技機内に組み付けた後、その制御基板や制御基板に接続されているハーネスに対して細工をし、遊技利益を不当に多く獲得しようとする「ゴト」と呼ばれる行為を行う者が後を絶たない。そのため、不正に基板ケースを開けたことが一目で分かるような封印シールや、基板取り外しを検知するセンサなどの考案がなされている（例えば特願２００２−３６３２０７）。
【０００３】
一方、遊技機内部に発生する電気的ノイズの影響を受けて制御装置が誤作動するのを防ぐために、制御基板と外部に設けたアース部を接地して、電気的ノイズを除去するための機構を設けてある（特許文献１参照）。また、遊技機の筐体内面に電磁波遮断シートを貼り付けて、外部からの電磁波の影響を受けないように形成されている。この他にも、例えばパチンコ遊技機において、制御基板の背面を囲うように導電性のカバーを設け、これに微弱電流を通電させて電気的ノイズを遮断したり、スロットマシンにおいて、回転リールの外周面に近接又は接触させて除電体を設けて静電気を除電させる技術がすでに存在する。
【０００４】
【特許文献１】
特開２００２−２９２０７０号公報
【０００５】
【発明が解決しようとする課題】
しかし、上記した従来の技術は、制御基板を電気的ノイズや磁気ノイズ（以下電磁ノイズという）から保護する事はできるが、基板そのものやハーネスなどに対して行われるゴト行為には効果が無く、またゴト対策としての封印やセンサには基板を電磁ノイズから保護するという機能はない。
【０００６】
そこで各請求項にそれぞれ記載された各発明は、上記した従来の技術の有する問題点を解決すべくなされたものであり、その目的とするところは、以下の点にある。
（請求項１）
請求項１記載の発明は、制御基板とその周囲の電気的接続手段に対する不正行為を防止すると同時に、制御基板を種々の電磁ノイズから保護することが可能な遊技機を提供することを目的とする。
【０００７】
（請求項２又は３）
請求項２又は３記載の発明は、上記した請求項１記載の発明の特徴点に加え、次の点を特徴とする。
すなわち、請求項２又は３記載の発明は、遊技内容を変更するいわゆる台交換の際、必要最低限の部品を交換可能とし、資源の有効活用を図り経済性にも優れた遊技機を提供することを目的とする。
【０００８】
（請求項４又は５）
請求項４又は５記載の発明は、上記した請求項１乃至３のいずれか１項に記載の発明の特徴点に加え、次の点を特徴とする。
すなわち、請求項４又は５記載の発明は、より不正行為防止に優れた遊技機を提供することを目的とする。
【０００９】
【課題を解決するための手段】
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【００１０】
（請求項１）
（特徴点）
請求項１記載の発明は、次の点を特徴とする。
すなわち、請求項１記載の発明は、正面側に開口する筺体と、筐体の開口部（１１）を開閉自在に塞ぐ前扉（３）と、遊技機の作動を制御するための制御装置と、遊技機を構成する構成部品を電気的に接続する電気的接続手段（５０）を少なくとも有する遊技機である。
【００１１】
ここで、前記前扉（３）は、筐体ユニット（１）の開口部（１１）を開塞自在に取り付けられており、扉を閉めると遊技機の正面構造となるように形成することができる。例えばスロットマシンを例にすると、回転リール（２３）の図柄を見ることができる表示窓（３１）や、スロットマシンを操作するための操作部（４１）等を設けることができるものである。なお、この前扉（３）は、閉扉状態で筐体の開口部（１１）を閉塞可能であれば、筐体にとりつけられていてもよいし、筐体以外の構成部品、例えば枠体（２１）などにとりつけられていてもよい。さらにまた、この前扉（３）は、上扉（３０）、下扉（４０）のように上下に二分割して形成することもできる。
【００１２】
また、前記「制御装置」としては、例えば配線基板に制御用電子部品一式が搭載されてなる電子基板（単に基板ということもある）等が挙げられる。スロットマシンでは、回転リールと払い出し装置の作動を制御することができる基板を、通常、主基板と称している。これは、回転リールと払い出し装置の作動以外、例えば画像表示装置や演出用リールや演出用のその他の表示装置などの演出用装置などを制御することができる基板として副基板を備えるようにした場合に、この副基板と区別するためである。「制御装置」は、前記主基板を基板ケースに収納した基板ユニット（２４）として形成することができる。
【００１３】
前記電気的接続手段（５０）は、筐体内に収納されている内部装置同士や、前扉（３）に設けられている電子部品と内部装置とを電気的に接続するためのものであり、ハーネス、ケーブルなどの電気的配線手段（５１）とこれらを接続するためのコネクタを含む。
そして、本発明に係る遊技機は、前記制御装置と、少なくともこの制御装置に接続される電気的接続手段（５０）の全部又は一部を覆うカバー部材（７０）を、筐体内部のいずれかの場所に取り付け、前記カバー部材（７０）は、少なくとも防磁又は防電波部材により形成されていることを特徴とする。
【００１４】
前記カバー部材（７０）は、制御装置及びその周囲の電気的接続手段（５０）を電磁ノイズから保護すると共に、制御装置等に何人も容易に触れることができないように覆い隠すためのものである。例えば、制御装置を遊技機の正面側から覆う遮蔽板（７１，７３）や、制御装置の周囲に設けたカーテン（７６）などとすることができる。ここで、電気的ノイズとしては、例えばスロットマシンの回転リールの回転や、パチンコ機内部を通過するパチンコ球の接触などなより発生する静電気、遊技機内部に配線された電気的接続手段（特に蛍光ランプのコード）から発生するラインノイズの他、遊技機外部からの電気的ノイズもある。例えば、高架下のホールなどにおける電車のパンタグラフのノイズや、電子ライターなどを用いて故意に制御基板を誤作動させる電波ゴトなども含む。そして、この電気的ノイズを遮断する素材としては、導電性塗料、無電解メッキ金属溶射・アルミ蒸着などからなる電波遮断シートなどが効果的である。
【００１５】
また、磁気ノイズとしては、例えば、静電気の放電に基づく電磁波、電流の流れに基づく磁界がある。そして、この磁気ノイズを遮断する素材としては、導電性繊維、電磁波シールドゴム、電磁波シールドガラスなどが効果的である。
本発明に係るカバー部材（７０）は、上記いずれかもしくは双方の素材を用いて形成、あるいはかかる素材を貼付等して形成し、防磁性又は防電波性を持たせたものとすることができる。
【００１６】
そして、カバー部材（７０）は、筐体内部のいずれかの場所に取り付けられている。すなわち、カバー部材（７０）は、制御装置及びその周囲の電気的配線手段（５１）が筐体内に設置されたときに、それらの全部又は一部を覆うことができればよく、筐体そのもの（例えば側板（１６）、天板（１７）、裏板（１８）など）に取り付けてもよいし、筐体内部であって筐体以外の部分（例えば筐体内に収納した枠体）に取り付けてもよい。
【００１７】
なお、前記カバー部材（７０）は、制御装置等を筐体に取り付け又は筐体から取り外す際に邪魔にならないように、移動可能に形成してもよい。
（作用）
本発明によれば、カバー部材（７０）が制御装置及びその周囲の電気的接続手段（５０）を種々の電磁ノイズから保護すると共に、物理的な接触も阻止できるので、制御基板を取り付けた後に基板やハーネスに悪戯をするような不正行為を効果的に防止することができる。
【００１８】
なお、カバー部材（７０）を透明に形成すれば、制御装置の様子が一目で分かるので、点検の際に便利である。また、本発明において、前記カバー部材（７０）の他にも、例えば筐体内面に電磁波遮断シートを貼り付けるなどの措置を講ずれば、より防磁性又は防電波性に優れた遊技機となる。
（請求項２）
（特徴点）
請求項２記載の発明は、上記した請求項１記載の発明の特徴点に加え、次の点を特徴とする。
【００１９】
すなわち、請求項２記載の発明は、少なくとも前記制御装置を支持体に設置した交換ユニット（２）を、筐体内部に着脱自在に形成した分離型遊技機であり、前記カバー部材（７０）は、前記交換ユニット（２）の着脱を妨げない位置に移動可能に形成されていることを特徴とする。
本発明は、少なくとも前記制御装置を支持体に設置した交換ユニット（２）を、筐体（筐体ユニット（１））内部に着脱自在に形成した分離型遊技機に係る。なお、交換ユニット（２）には、遊技内容変更の際に頻繁に交換する必要のある他の構成部品、例えばスロットマシンにおいては回転リール（２３）などが含まれていてもよい。
【００２０】
前記交換ユニット（２）は、少なくとも支持体及び制御装置とから構成されており、前記筐体内部に収納可能であり、筐体内部に載置あるいは吊り下げて支持固定されるものである。
また、前記支持体としては、例えば枠体（２１）が挙げられるが、制御装置を支持することができるものであればよい。支持体は、筐体内部に制御装置を固定するためのものであり、さらに、制御装置やその他の交換部品を一体的に取り扱い可能とするものである。この支持体は、例えばクリップなどの固定装置（１０）により筐体内部に固定されると共に、固定装置（１０）を解除することにより、筐体から取り出し可能となっている。
【００２１】
そして、本発明におけるカバー部材（７０）は、前記交換ユニット（２）の着脱を妨げない位置（換言すれば、収納及び取り出しの際、交換作業の邪魔にならないような位置）に移動可能に形成されている。ここで、カバー部材（７０）の「移動」は、交換ユニット（２）の収納、取り出し作業の際に「移動」可能であることと、交換ユニット（２）の設置又は設置解除、すなわち、交換ユニット（２）が収納された状態で行われる交換ユニット（２）と筐体側にある構成部品とを電気的に接続又は切断する作業の際に「移動」可能であることも含む。また、「移動可能」とは、定位置から動かすことができる事であり、定位置に取り付いたまま移動（例えば回転、回動、折れ曲がり、開閉等）すること、及び定位置から取り外し可能であることも含む。
【００２２】
このように形成されているものであれば、カバー部材（７０）は、筐体に取り付けられていても、交換ユニット（２）に取り付けてあってもよい。具体的には、例えば、交換ユニット（２）を筐体内に収納又は筐体内から取り出す際に、折り畳み又は跳ね上げることにより交換ユニット（２）の移動空間を確保できるようにした筐体に取り付けた遮蔽板（７１）や、交換ユニット（２）の支持体に着脱自在に取り付けられた遮蔽板（７３）が挙げられる。
【００２３】
（作用）
本発明によれば、いわゆる台交換の際には交換ユニット（２）を交換し、筐体はホールに設置したままにしておけるので、交換作業にかかる時間及び費用を節約することができる。また、カバー部材（７０）を筐体に取り付けておけば、台交換のたびにカバー部材（７０）を取り替える必要が無く、経済的である。
【００２４】
（請求項３）
（特徴点）
請求項３記載の発明は、上記した請求項２記載の発明の特徴点に加え、次の点を特徴とする。
すなわち、請求項３記載の発明は、前記カバー部材（７０）は、前記交換ユニット（２）に取り付け可能であることを特徴とする。
【００２５】
本発明は、カバー部材（７０）を、交換ユニット（２）の例えば支持体に取り付け、交換ユニット（２）に搭載されている制御装置をカバーするように形成したものである。この場合、カバー部材（７０）は、交換ユニット（２）に移動可能に固定されていても良いし、着脱可能に取り付けられていても良い。
（作用）
カバー部材（７０）が交換ユニット（２）に移動可能に固定されている場合には、交換ユニット（２）の制御装置と筐体側構成部品との電気的接続又は切断を行う際に、カバー部材（７０）を移動させて作業を行う。カバー部材（７０）が交換ユニット（２）に着脱可能に取り付けられている場合には、カバー部材（７０）を取り外して交換作業を行うことができる。
【００２６】
なお、カバー部材（７０）を交換ユニット（２）に着脱可能に形成した場合には、台交換の際、交換ユニット（２）のみを交換し、カバー部材（７０）は交換前の交換ユニット（２）に用いていたものをそのまま再利用すれば、省資源、コスト削減に役立つ。
（請求項４）
（特徴点）
請求項４記載の発明は、上記した請求項１乃至３のいずれか１項に記載の発明の特徴点に加え、次の点を特徴とする。
【００２７】
すなわち、請求項４記載の発明は、前記カバー部材（７０）と、前記筐体内面との間に、封印を施したことを特徴とする。
本発明は、カバー部材（７０）の取り付け場所が筐体であるか交換ユニット（２）であるかを問わず、カバー部材（７０）と筐体内面との間に封印を施すようにしたものである。
【００２８】
ここで、「封印」は、一度剥がすと復元不可能な封印用シール（８１）や、いったん係合させたら切断しなければ取り外せないループピン（８３）、いったん締めたら緩めることができない一方向ネジなど、カバー部材（７０）を不正に移動させられないようにする手段又は移動させた痕跡が残る手段であり、カバー部材（７０）と筐体内面との間に設置可能なものであればどのような態様であってもかまわない。
【００２９】
（作用）
制御装置やその周辺のハーネスなどにゴト行為をしようとする場合には、カバー部材（７０）を移動させなければならず、なおかつそれは封印されているので、かかる不正行為がさらにやり難くなる。また、封印に気づかずカバー部材（７０）を動かしてしまった場合でも、その痕跡が残っているため、不正が行われた可能性の高い遊技機をすぐに発見でき、当該遊技機の使用を中止するなど迅速な対応をとることができる。
【００３０】
（請求項５）
（特徴点）
請求項５記載の発明は、上記した請求項２乃至４記載の発明の特徴点に加え、次の点を特徴とする。
すなわち、請求項５記載の発明は、前記カバー部材（７０）と、前記交換ユニット（２）との間に、封印を施したことを特徴とする。
【００３１】
本発明においては、カバー部材（７０）の取り付け場所が筐体であるか交換ユニット（２）であるかを問わず、カバー部材（７０）と交換ユニット（２）との間に封印を施したものである。また、分離型遊技機においては、上記の封印に加えて、カバー部材（７０）と筐体内面との間にも封印を施せば、交換ユニット（２）を不正に取り外そうとした痕跡ものこるため、より効果的である。
【００３２】
【発明の実施の形態】
本発明を表す好適な実施の形態を、第一の実施の形態及び第二の実施の形態に分けて、図面に基づき説明する。
（第一の実施の形態）
（図面の説明）
図１乃至図１２は、本発明の第一の実施の形態を示すものである。
【００３３】
図１は筐体ユニットの一部断面斜視図、図２及び図３は分離型スロットマシンを示す分解斜視図、図４はスロットマシンの縦断面図、図５はカバー部材を示す縦断面図、図６乃至図１１はカバー部材の他の例を示す図である。また、図１２は、カバー部材を交換ユニットに取り付けた図である。
本実施の形態における分離型スロットマシンＳは、図２に示すように、大きく分けて、正面側に開口部１１を有する筐体ユニット１、筐体ユニット１内部に着脱自在に設けられる交換ユニット２、筐体ユニット１の開口上部１３を開閉可能に塞ぐ上扉３０、筐体ユニット１の開口下部１４を開閉可能に塞ぐ下扉４０とから構成されている。
【００３４】
（筐体ユニット１）
筐体ユニット１は、底板１５及び側板１６及び天板１７及び裏板１８からなる正面側に開口する筺体であり、高さ方向略中央部には、二つの側板１６の間に水平方向に中板１２が設けられている。ここで、中板１２は、開口部１１を上下に仕切るとともに、後述する交換ユニット２を筐体内部に支持する載置手段としての役割を果たすものである。そして、この中板１２の下面には電源ユニット４が設けられ、底板１５にはホッパーユニット５が固定されている。
【００３５】
前記電源ユニット４は、中板１２の下面に、取り付け板等を介して取り付けられており、特に図示しないが電源装置が内装されていると共に、遊技店側が種々の設定を行うためのスイッチ等を有している。
上記電源ユニット４及びホッパーユニット５は、交換ユニット２の交換に際し、必ずしも交換する必要のないものであり、交換時には設置されたままにしておけるようになっているものである。
【００３６】
なお、本実施の形態においては、メダルを貯留すると共にメダルを払い出す払い出し装置としてホッパーユニット５を有するスロットマシンとしたが、遊技メダルを払い出すことのできる装置であれば、ホッパーユニット５以外の装置が代わりに設けられていてもよい。
また、側板１６の正面左側の下部には、下扉４０を係合させ、回転自在に支持するための筐体係合部６１が、上下方向に間隔をおいて二つ設けられており、筐体係合部６１の対向側の側板１６には、下扉４０を閉めた際、下扉４０をロックするための突出片９０（ロック機構７）が、上下方向に間隔をおいて二つ設けられている。そして、側板１６の内面手前側には、交換ユニット２を固定するための固定装置１０が取り付けられている。
【００３７】
なお、筐体ユニット１の開口上部１３には、図１及び図４に示すように、カバー部材７０としての遮蔽板７１が設けられている。この遮蔽板７１は、交換ユニット２を収納固定した際に、基板ユニット２４及び基板ユニット２４に接続されている電気的配線手段５１をカバーするためのものであるが、この詳細については後述する。
また、筐体ユニット１には、スロットマシンＳの構成部品を電気的に接続するための電気的接続手段５０が配置されているが、これについても後述する。
【００３８】
（交換ユニット２）
交換ユニット２は、図２に示すように、種々の部品を設置あるいは固定するための支持体としての枠体２１と、この枠体２１に固定されたリールユニット２２及び基板ユニット２４とから形成されている。
前記枠体２１は、リールユニット２２及び基板ユニット２４を設置可能な箱形の金属枠である。枠体２１は、仕切り板２５を設けてリールユニット２２の上側に基板ユニット２４が配置されるように構成されている。また、枠体２１の正面左側の縦枠には、上扉３０を係合させ、回転自在に支持するための枠体係合部６２が設けられており、枠体係合部６２の対向側の縦枠には、下扉４０を閉めた際、下扉４０をロックするための突出片９０（ロック機構７）が、上下方向に間隔をおいて二つ設けられている。そして、枠体２１の正面側の上枠は切除されており、後述する遮蔽板７１の跳ね上げを妨げないようになっている。なお、支持体としては枠体２１に限られず、リールユニット２２及び基板ユニット２４等の機器を設置することが可能な強度を有する構造体であればよい。
【００３９】
ここで、リールユニット２２は、周囲に複数の図柄を表示した複数の回転リール２３と、特に図示しないが、回転リール２３を回転させるための駆動モータを有している。そして、前記枠体２１の仕切り板２５の下部空間に設置されている。また、前記基板ユニット２４には、特に図示しないが、遊技及びスロットマシンの作動を制御するための主基板と、各種演出を行うための副基板が内装されている。前記主基板及び副基板は、スロットマシンの制御装置として機能するものである。そして、基板ユニット２４は、前記枠体２１の仕切り板２５の上側かつ枠体奥側に設置されている。
【００４０】
交換ユニット２は、筐体ユニット１の中板１２の上に乗せて開口上部１３内部に収納し、固定装置１０により筐体ユニット１に固着される。
（上扉３０）
上扉３０は、筐体ユニット１の開口上部１３を塞ぐための板状の扉であり、交換ユニット２の枠体２１に回転自在かつロック可能に形成されている。そして、略中央部に前記回転リール２３の図柄を正面側から見ることができる表示窓３１を有し、周囲に飾り部３３や種々の表示を行うための表示装置３２が設けられているものである。
【００４１】
ここで、前記飾り部３３は、ランプ等により形成しても良く、入賞の報知その他の演出時にランプが点滅するようにしてもよい。また、前記表示装置３２は、７セグメントＬＥＤ等により数字を表示するものや、特に図示しないが、画像を表示するための液晶画面あるいはＣＲＴなどとしてもよい。
さらに、図３に示すように、上扉３０の裏面には、前記枠体係合部６２に係合可能な上扉係合部６３が上下方向に間隔をおいて二つ設けられており、上扉係合部６３の対向側には、ロック機構７が設けられている。ロック機構７は、交換ユニット２に設けられた突出片９０に係止可能な鉤状の係止片を有するラッチ機構などにより構成されており、特に図示しないが解錠手段の操作により突出片９０との係止が外れ開扉することができるとともに、扉を閉めれば自動的にロックされるように形成されている。また、上扉３０の裏面上部の左右には、種々の音声を出力するためのスピーカ３５が設けられている。
【００４２】
そして、交換ユニット２を筐体ユニット１内部に固定し、上扉３０をロックすることにより、上扉３０が筐体ユニット１の開口上部１３を閉塞するものである。いわゆる台交換の際には、遊技内容の変更に伴い、例えば回転リール２３の数を変更したり、表示装置３２の種類を変更する場合もあり、このようなときには上扉３０の形状も変える必要があるので、上扉３０と交換ユニット２は同時に交換される頻度が高い。このように形成すれば、搬送時、取り付け時において、上扉３０と交換ユニット２を一体にして扱うことができ、上扉３０と交換ユニット２を同時に取り外し又は取り付けできるので、作業の手間を省くことができる。
【００４３】
なお、上扉３０を、筐体ユニット１の側板１６に取り付けてもよい。この場合は、上扉３０と交換ユニット２を別々に取り付け又は取り外しすることができる。
（下扉４０）
下扉４０は、筐体ユニット１の開口下部１４を塞ぐための、上扉３０よりも幅厚の扉であり、筐体ユニット１の側板１６に回転自在かつロック可能に形成されているものである。
【００４４】
下扉４０の上部は、スロットマシンを作動させるための操作部４１となっており、下扉４０の上面は、閉扉時においては、上扉３０よりも前側に突出するようになっている。また、下部には払い出されたメダルを貯めておくためのメダル受け４３が形成されており、下扉４０の略中央部には、遊技内容その他の表示をするための前パネルが嵌め込まれている。
【００４５】
前記操作部４１としては、下扉４０の上面右端にはメダル投入口４２及び上面左側に設けられたベットスイッチ、正面側にはスタートスイッチ及びストップスイッチ及び鍵穴４４が設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０のロックが解除されるものである。
【００４６】
さらに、図３に示すように、下扉４０の裏面側には、前記メダル投入口４２から投入されたメダルを誘導しながらメダルの正偽を判断するためのメダルセレクター４５が設けられている。
また、下扉４０の裏面には、前記筐体係合部６２と係合可能な下扉係合部６４が上下方向に間隔をおいて二つ設けられており、下扉係合部６４の対向側には、ロック機構７が設けられている。ロック機構７の構成は、上扉３０のものと基本的には同様である。そして、下扉４０を解錠して開けないと上扉３０の解錠手段が操作できないようになっている。
【００４７】
（電気的接続手段５０）
ここで、分離型スロットマシンＳの各構成部品を電気的に接続する電気的接続手段５０について説明する。
電気的接続手段５０は、電気的配線手段５１と、電気的配線手段５１を接続するためのコネクタ（筐体側コネクタ５２及び交換ユニット側コネクタ５３）からなる。
【００４８】
電気的配線手段５１は、図２及び図４に示すように、筐体ユニット１の上下及び交換ユニット２に設置されており、開口下部１４に固定されている電源ユニット４及びホッパーユニット５及び下扉４０と、交換ユニット２に搭載及び取り付けられているリールユニット２２及び基板ユニット２４及び上扉３０とをそれぞれ電気的に接続するようになっている。
【００４９】
交換ユニット２に設置された電気的配線手段５１の一端部には、交換ユニット側コネクタ５３が取り付けられている。また、筐体ユニット１に設置された電気的配線手段５１は、配線カバー手段５４により被覆保護されている。配線カバー手段５４は、筐体ユニット１の裏板１８に沿って取り付けられた電気的配線手段５１を収納可能なケース、電気的配線手段５１が貫通可能な管、あるいは電気的配線手段５１を埋め込んで形成されたものとすることができる。このように、電気的配線手段５１を配線カバー手段５４により被覆することにより、交換ユニット２の交換作業時に電気的配線手段５１が損傷するのを防ぐことができる。
【００５０】
前記配線カバー手段５４の上端は、筐体ユニット１の裏板１８上端部に横方向にわたって設けられたコネクタブラケット５５に接続している。コネクタブラケット５５には、筐体側コネクタ５２が形成されていて、この筐体側コネクタ５２に前記交換ユニット側コネクタ５３をつなぐと、交換ユニット２の電気的配線手段５１及び配線カバー手段５４内の電気的配線手段５１を通じて、筐体ユニット１に配置された構成部品（電源ユニット４及びホッパーユニット５及び下扉４０）交換ユニット２及び上扉３０とが電気的に接続可能となるものである。
【００５１】
なお、筐体側の電気的配線手段５１と前記配線カバー手段５４は、交換ユニット２を交換する際、筐体ユニット１にそのまま残しておけるので、台交換の際の交換部品をより少なくでき、経費節減に役立つものである。
（カバー部材７０）
次に、カバー部材７０について詳述する。
【００５２】
カバー部材７０は、交換ユニット２を設置した際、基板ユニット２４を正面側から遮蔽して、一般人が基板ユニット２４に触れることができなくすると共に、リールユニット２２の回転により発生する静電気や、その他の電子部品又は遊技機外部からの電磁波などの影響を受けて、基板ユニット２４に内装されている主基板等の制御基板が誤作動を起こさないようにするためのものである。
【００５３】
具体的には、カバー部材７０は、図１及び図４に示すように、筐体ユニット１の側板１６に軸７２を介して手前方向に回動可能に取り付けられた遮蔽板７１である。この遮蔽板７１は、上板７１ａと下板７１ｂに分割されていて、上下の板はヒンジ等により回動可能に結合されている。そして、図５に示すように、交換ユニット２の設置時には、上板７１ａ及び下板７１ｂが面一となって、枠体２１の奥側に配置された基板ユニット２４及び基板ユニット２４に接続された電気的配線手段５１及び交換ユニット側コネクタ５３を正面側から遮蔽する。このとき、遮蔽板７１が枠体２１の仕切り板２５と筐体ユニット１の天板１７とを隙間無く塞ぎ、正面側から物を差し込んだりできないようにしておくのが望ましい。また、交換ユニット２を取り出す際には、図５に二点差線で示したように、遮蔽板７１を手前側に持ち上げると軸７２を中心に回動し、天板１７まで跳ね上げることができる。このとき、下板７１ｂは天板１７の正面側端部から上方向に折れ曲がり、交換ユニット２の出し入れの邪魔にならないようになっている。
【００５４】
なお、軸７２から仕切り板２５までの長さが、軸７２から天板１７の正面側端部までの長さよりも短い場合又はほとんど同じである場合には、遮蔽板７１は一枚板で形成するのが好ましい。また、特に図示しないが、天板１７に、ヒンジ等を介して遮蔽板７１を回動可能に取り付けてもよい。
さらに、遮蔽板７１は、防磁又は防電波性を有する部材により形成されている。例えば、電磁波を遮断する素材（例えば電磁波シールドゴム、電磁波シールドガラス）を板状に形成したものや、金属又はプラスチック製の板材の表面に導電性塗料を塗布したり、電波遮断シートを貼付したものなどである。このように、防磁、防電効果を有する遮蔽板７１で基板ユニット２４を覆うことにより、筐体内に発生する静電気などの影響による制御基板の誤作動や、スロットマシンの正面側から制御基板を誤作動させる目的で電磁波を浴びせるいわゆる電波ゴトを効果的に防止することができる。また、静電気による埃の付着も防止でき、電気的配線手段５１やコネクタ部分が加熱して発火するなどのトラブルを防止できる。
【００５５】
なお、遮蔽板７１を透明部材で形成すると、遮蔽板７１を取り外すことなく基板ユニット２４を視認でき、点検時などに好適である。
上記のように形成された遮蔽板７１を有する分離型スロットマシンＳにおいて、交換ユニット２を交換する際には、まず遮蔽板７１を上側に跳ね上げて、さらに下板７１ｂを上方向に折り曲げる。なお、交換ユニット２の正面側上枠は切除してあるので、遮蔽板７１を上側に回動させるときに枠体２１が障害となることはない。また、跳ね上げた遮蔽板７１を押さえていなくとも天板１７方向に上がったままにしておくためには、軸７２に回転防止ストッパーを設けたり、天板１７に遮蔽板７１を付着させる手段（雄雌ファスナーテープや留め金など）を設ければよい。そうして筐体側コネクタ５２と交換ユニット側コネクタ５３の接続を外し、固定装置１０を解除して交換ユニット２を筐体内から取り出す。次に、新しい交換ユニット２を中板１２に載せて開口上部１３内に収納し、固定位置に設置されたら固定装置１０にて筐体内に固定する。それから筐体側コネクタ５２と交換ユニット側コネクタ５３を接続し、遮蔽板７１を下ろして基板ユニット２４及び電気的配線手段５１を正面側から遮蔽する。
【００５６】
ここで、カバー部材７０を、図６乃至図９に示したような構成としても良い。これは、板状の遮蔽板７３の両側端部に係合爪７３ａを設け、筐体ユニット１の側板１６の内側には、前記係合爪７３ａと係合可能に形成された係合爪７４ａを有する取り付け部材７４を設け（図７参照）、遮蔽板７３を取り付け部材７４と係合させることにより、基板ユニット２４等を正面側から遮蔽するようにしたものである（図９参照）。この場合、取り付け部材７４が交換ユニット２の収納の妨げとならないよう、図７及び図８に示すように枠体２１の後ろ側に切り欠き部２６を形成しておくとよい。そして、交換ユニット２の交換時には、まず遮蔽板７３を取り外してから筐体側コネクタ５２と交換ユニット側コネクタ５３の接続を外し、固定装置１０を解除して交換ユニット２を筐体内から取り出す。新しい交換ユニット２を収納固定した後、遮蔽板７３を取り付け部材７４に取り付けて、基板ユニット２４及び電気的配線手段５１を正面側から遮蔽する。
【００５７】
ところで、以上のように形成された遮蔽板７１，７３には、交換ユニット２を収納固定した後、封印手段８０により封印を施すと、よりゴト防止に効果的である。例えば、図１に示すように、遮蔽板７１と交換ユニット２の仕切り板２５とにかけて、あるいは遮蔽板７１と筐体ユニット１の側板１６とにかけて、封印シール８１を貼り付けたものである。遮蔽板７１を動かすと封印シール８１が剥がれるが、このシールは一度はがすと復元できないようになっていて、遮蔽板７１に対して加えられた不正行為を発見できるのである。
【００５８】
なお、封印手段８０としては、上記封印シール８１に限られない。例えば、図５及び図１８に示すように、遮蔽板７１の下板７１ｂ下端部に、正面側に張り出す薄板状のピン取り付け部８４を形成し、このピン取り付け部８４と交換ユニット２の仕切り板２５に設けたピン孔に封印ピン８２を貫通させたものとすることができる。封印ピン８２の先端部は、ピン孔よりも若干大きく形成されており、ピン孔に押し込むことはできるが一端ピン孔を貫通させると引き抜けないようになっている。そして封印を外すには、頭部と先端部をつなぐ連結部を切り取らなければならないようになっているものである。また、図１９に示すように、いったん係合させたら切断しなければ取り外せないループピン８３を、遮蔽板７１，７３と筐体ユニット１の側板１６に設けたピン取り付け部材８５のピン孔に貫通させて係合させたものとしてもよい。あるいは、特に図示しないが、いったん締めたら緩めることができない一方向ネジで遮蔽板７１，７３と筐体内面又は枠体２１に設けた固定部材とを固定し、固定部材かネジ部を破壊しなければ遮蔽板７１，７３を取り外せないように形成したものなどとしてもよい。ただ、この場合、カバー部材７０を数回程度は再利用可能とするため、固定部材及びネジ部を複数形成しておくのが望ましい。
【００５９】
さらに、カバー部材７０を、図１０及び図１１に示すように形成することもできる。これは、カバー部材７０を、カーテン７６とし、筐体ユニット１に固定したカーテンレール７５からこのカーテン７６を吊し、基板ユニット２４を覆うようにしたものである。カーテンレール７５は、図１１に示すように、筐体ユニット１の裏板１８から正面方向に水平に張りだしたパイプ又は棒材であり、交換ユニット２設置時において基板ユニット２４の上端よりも上方に位置し、平面から見ると、基板ユニット２４の正面及び側面よりも外側を囲む方形を形成している。また、カーテン７６は、前記カーテンレール７５が貫通しカーテンレール７５を摺動可能に形成されたリング部７６ａと、リング部７６ａから下方に垂下する導電性繊維よりなるカーテン部７６ｂからなり、基板ユニット２４及び電気的配線手段５１を正面側及び側面側から囲うようになっている。なお、図示した例では、カーテン部７６ｂをブラシ状の形態としたが、布状のものであってもかまわない。
【００６０】
そして、交換ユニット２の交換時には、まずカーテン７６を開いて、カーテン部７６ｂをカーテンレール７５のいずれか一方側に寄せ集めて収納し、交換作業の邪魔にならないようにする。交換ユニット２を入れ替え、新しい交換ユニット２を固定したら、カーテン７６を閉じて、基板ユニット２４及び周囲の電気的配線手段５１を覆い隠すようにする。
【００６１】
このようにカーテン７６で基板ユニット２４を覆ってあると、基板や電気的配線手段５１に悪戯をしようとする者には邪魔になり、かかる行為を抑止することができる。また、導電性繊維により筐体内の静電気を除去するので、基板ユニット２４や電気的配線手段５１、又は交換ユニット側コネクタ５３などに埃が付着するのを防止することもできる。さらに、カーテン部７６ｂに振動検知センサを設け、基板ユニット２４にみだりに触れようとすると通報されるように形成するとよりゴト防止効果が高まる。
【００６２】
以上述べたように、カバー部材７０を筐体ユニット１に回動可能又は取り外し可能あるいは開閉可能に取り付けることにより、台交換のたびにカバー部材７０を取り替える必要がなく、かつ交換ユニット２の着脱に支障を与えることなく、基板ユニット２４及び周囲の電気的接続手段５０を電磁ノイズや不正行為から保護することができるのである。
【００６３】
ところで、上記した実施の形態は、カバー手段７０を筐体ユニット１に取り付けたものであったが、カバー手段７０を交換ユニット２に取り付けてもよい。例えば、図１２に示すように、枠体２１の内側に係合爪７４ａを有する取り付け部材７４を形成し、係合爪７３ａを有する遮蔽板７３を着脱自在に取り付けたものである。このように形成した場合には、筐体側コネクタ５２と交換ユニット側コネクタ５３を接続する時だけ、遮蔽板７３を取り外せばよい。また、封印を施す場合には、遮蔽板７３と枠体２１の仕切り板２５との間に施すとともに、遮蔽板７３と筐体内面との間にも封印手段８０を設けるのが好ましい。このようにすると、基板ユニット２４にゴト行為を行うために交換ユニット２を丸ごと取り出そうとした場合でも、交換ユニット２を移動させた痕跡が残るため、よりゴト防止効果が高まるものである。なお、遮蔽板７３は個々の交換ユニット２にそれぞれ設けてもよいが、交換ユニット２には取り付け部材７４のみを形成しておき、遮蔽板７３は交換前の交換ユニット２に使用していたものを再利用するようにしてもよい。こうすれば、台交換のたびに遮蔽板７３を取り替える必要が無く、交換費用を節約できると共に資源の有効利用にも資するものである。
【００６４】
なお、本実施の形態に係るカバー部材７０を用いるとともに、筐体ユニット１の内周面や交換ユニット２の仕切り板２５に電磁波吸収シートを貼り付ければ、より防磁防電効果が高まる。
（第二の実施の形態）
第二の実施の形態は、遊技機として、分離型でないスロットマシンを例に挙げて述べる。
【００６５】
（図面の説明）
図１３乃至図１７は、本発明の第二の実施の形態を示すものである。
図１３はスロットマシンの縦断面図、図１４及び図１６、図１７は筐体の一部断面斜視図、図１５は筐体の横断面図である。
（スロットマシンＳ’）
本実施の形態におけるスロットマシンＳ’は、図１３に示すように、正面側に開口部１１１を有する筐体１００の内部に、基板ユニット２４０、リールユニット２２０、電源ユニット４、ホッパーユニット５が設置され、前記開口部１１１を開閉自在に塞ぐことができる前扉１３０を備えている。
【００６６】
筐体１００は、底板１１５及び側板１１６及び天板１１７及び裏板１１８からなる正面側に開口する筺体であり、高さ方向略中央部には、二つの側板１１６の間に水平方向に中板１１２が設けられている。そして、この中板１１２によって仕切られた開口上部１１３には、リールユニット２２０及び基板ユニット２４０が配置されており、開口下部１１４には電源ユニット４及びホッパーユニット５が配置されている。
【００６７】
前記リールユニット２２０は、中板１１２の上面に載置固定されており、前記基板ユニット２４０は、取り付け枠（図示せず）を介して裏板１１８の上方に固定されている。また、前記電源ユニット４は中板１１２の下面に、前記ホッパーユニット５は底板１１５に、それぞれ取り付けられている。なお、リールユニット２２０及び基板ユニット２４０、電源ユニット４及びホッパーユニット５の基本的構成は、第一の実施の形態と同様である。
【００６８】
なお、特に図示しないが、筐体１００内部には、電源ユニット４、ホッパーユニット５、リールユニット２２０、前扉１３０と、基板ユニット２４０とを電気的に接続する電気的接続手段５０が配置されている。そして、前記基板ユニット２４０には電気的配線手段５１とその端部に設けられた基板側コネクタ５６が接続されている。基板側コネクタ５６は、裏板１１８の上端に設けられた筐体側コネクタ５２と接続可能となっている。そして、この基板ユニット２４０及び電気的配線手段５１、基板側コネクタ５６は、後述するカバー部材７０により覆われている。
【００６９】
前扉１３０は、筐体１００の側板１１６にヒンジ部（図示せず）を介して取り付けられている板状の扉であって、開口部１１１を開閉自在に塞ぐと共に、正面側がスロットマシンの正面構造となるように形成されている。
（カバー部材７０）
次に、カバー部材７０について詳述する。
【００７０】
カバー部材７０は、基板ユニット２４０を正面側から遮蔽して、一般人が基板ユニット２４０に触れることができなくすると共に、リールユニット２２０の回転により発生する静電気や、その他の電子部品又は遊技機外部からの電磁波などの影響を受けて、基板ユニット２４０に内装されている主基板等の制御基板が誤作動を起こさないようにするためのものである。
【００７１】
具体的には、カバー部材７０は、図１３及び図１４に示すように、筐体１００の側板１１６に軸７２を介して手前方向に回動可能に取り付けられた遮蔽板７１である。この遮蔽板７１は、上板７１ａと下板７１ｂに分割されていて、上下の板はヒンジ等により回動可能に結合されている。そして、スロットマシンＳ’がホールに設置されているときには、図１３に示すように、上板７１ａが正面側から、下板７１ｂが下側から、それぞれ、筐体１００の奥側に配置された基板ユニット２４０及び基板ユニット２４０に接続された電気的配線手段５１及び基板側コネクタ５６を遮蔽しているものである。
【００７２】
また、遮蔽板７１は、図１３に二点差線で示したように、遮蔽板７１を手前側に持ち上げると軸７２を中心に回動し、天板１１７まで跳ね上げることができる。このとき、下板７１ｂは上板７１ａの下端部から上方向に折れ曲がり、上板７１ａと下板７１ｂが面一になるようになっている。これは、いわゆる台交換により、ホールから再生工場に運ばれてきたスロットマシンを、新たな機種に再生する際、筐体１００内部に固定されている基板ユニット２４０を取り外しやすいようにするためである。
【００７３】
ここで、スロットマシンを再生する場合、筐体１００は破損、汚損がない限り再利用されることが多い。すなわち、内部の基板ユニット２４０やリールユニット２２０を取り外し、その筐体１００に新たな基板ユニット２４０等を取り付けるのである。従って、基板ユニット２４０を取り外す際には、リールユニット２２０を取り出してから遮蔽板７１を手前側に跳ね上げ、筐体側コネクタ５２と基板側コネクタ５６の接続を外し、基板ユニット２４０を筐体１００から取り外す。そして、新たな基板ユニット２４０を接続固定し、再び遮蔽板７１を下方に回動させて、上板７１ａで正面側を、下板７１ｂで下面側を覆い隠すようにするものである。
【００７４】
なお、特に図示しないが、天板１７に、ヒンジ等を介して遮蔽板７１を回動可能に取り付けてもよい。また、正面側を遮蔽する上板７１ａの左右に、ヒンジ等により回動可能に側板を取り付け、基板ユニット２４０の側方も覆うことができるように形成しても良い。
さらに、遮蔽板７１は、防磁又は防電波性を有する部材により形成されている。例えば、電磁波を遮断する素材を板状に形成したものや、金属又はプラスチック製の板材の表面に導電性塗料を塗布したり、電波遮断シートを貼付したものなどである。このように、防磁、防電効果を有する遮蔽板７１で基板ユニット２４０を覆うことにより、筐体内に発生する静電気などの影響による制御基板の誤作動や、スロットマシンの正面側から制御基板を誤作動させる目的で電磁波を浴びせるいわゆる電波ゴトを効果的に防止することができる。また、静電気による埃の付着も防止でき、電気的配線手段５１やコネクタ部分が加熱して発火するなどのトラブルを防止できる。
【００７５】
なお、遮蔽板７１を透明部材で形成すると、遮蔽板７１を取り外すことなく基板ユニット２４を視認でき、点検時などに好適である。
ここで、カバー部材７０を、図１５及び図１６に示したような構成としても良い。これは、板状の遮蔽板７３の両側端部に係合爪７３ａを設け、筐体１００の側板１１６の内側には、前記係合爪７３ａと係合可能に形成された係合爪７４ａを有する取り付け部材７４を設け（図１５参照）、遮蔽板７３を取り付け部材７４と係合させることにより基板ユニット２４０等を正面側から遮蔽するようにしたものである（図１６参照）。そして、基板ユニット２４０の取り外し時には、まず遮蔽板７３を取り外してから筐体側コネクタ５２と基板側コネクタ５６の接続を外し、基板ユニット２４０を筐体内から取り出す。新しい基板ユニット２４０を取り付け固定した後、遮蔽板７３を取り付け部材７４に取り付けて、基板ユニット２４及び電気的配線手段５１を正面側から遮蔽する。
【００７６】
ところで、以上のように形成された遮蔽板７１，７３には、基板ユニット２４０を接続固定した後、封印手段８０により封印を施すと、よりゴト防止に効果的である。例えば、図１４に示すように、遮蔽板７１と筐体１００の側板１１６とにかけて、封印シール８１を貼り付けたものである。遮蔽板７１を動かすと封印シール８１が剥がれるが、このシールは一度はがすと復元できないようになっていて、遮蔽板７１に対して加えられた不正行為を発見できるのである。
【００７７】
なお、封印手段８０としては、上記封印シール８１に限られない。例えば、図１９に示すように、いったん係合させたら切断しなければ取り外せないループピン８３を、遮蔽板７１，７３と筐体１００の側板１１６に設けたピン取り付け部材８５のピン孔に貫通させて係合させたものとしてもよい。または、特に図示しないが、いったん締めたら緩めることができない一方向ネジで遮蔽板７１，７３と筐体内面に設けた固定部材とを固定し、固定部材かネジ部を破壊しなければ遮蔽板７１，７３を取り外せないように形成したものなどとしてもよい。ただ、この場合、カバー部材７０を数回程度は再利用可能とするため、固定部材及びネジ部を複数形成しておくのが望ましい。
【００７８】
さらに、カバー部材７０を、図１７に示すように形成することもできる。これは、カバー部材７０を、カーテン７６とし、筐体ユニット１に固定したカーテンレール７５からこのカーテン７６を吊し、基板ユニット２４０を覆うようにしたものである。カーテンレール７５は、図１７に示すように、筐体１００の裏板１１８から正面方向に水平に張りだしたパイプ又は棒材であり、基板ユニット２４０の上端よりも上方に位置し、平面から見ると、基板ユニット２４０の正面及び側面よりも外側を囲む方形を形成している。また、カーテン７６は、前記カーテンレール７５が貫通しカーテンレール７５を摺動可能に形成されたリング部７６ａと、リング部７６ａから下方に垂下する導電性繊維よりなるカーテン部７６ｂからなり、基板ユニット２４０及び電気的配線手段５１を正面側及び側面側から囲うようになっている。なお、図示した例では、カーテン部７６ｂをブラシ状の形態としたが、布状のものであってもかまわない。
【００７９】
そして、基板ユニット２４０の取り外し時には、まずカーテン７６を開いて、カーテン部７６ｂをカーテンレール７５のいずれか一方側に寄せ集めて収納し、交換作業の邪魔にならないようにする。基板ユニット２４０を入れ替え、新しい基板ユニット２４０を固定したら、カーテン７６を閉じて、基板ユニット２４０及び周囲の電気的配線手段５１を覆い隠すようにする。
【００８０】
このようにカーテン７６で基板ユニット２４を覆ってあると、基板や電気的配線手段５１に悪戯をしようとする者には邪魔になり、かかる行為を抑止することができる。また、導電性繊維により筐体内の静電気を除去するので、基板ユニット２４０や電気的配線手段５１、又は交換ユニット側コネクタ５３などに埃が付着するのを防止することもできる。さらに、カーテン部７６ｂに振動検知センサを設け、基板ユニット２４０にみだりに触れようとすると通報されるように形成するとよりゴト防止効果が高まる。
【００８１】
以上に述べたように、カバー部材７０を筐体１００に移動可能又は取り外し可能に取り付けることにより、台交換のたびにカバー部材７０を取り替える必要がなく、かつ基板ユニット２４０やリールユニット２２０の取り付け取り外しに支障を与えることなく、基板ユニット２４０及び周囲の電気的接続手段５０を電磁ノイズや不正行為から保護することができるのである。
【００８２】
なお、本実施の形態に係るカバー部材７０を用いるとともに、筐体１００の内周面に電磁波吸収シートを貼り付ければ、より防磁防電効果が高まる。
【００８３】
【発明の効果】
本発明は、以上のように構成されているので、以下に記載されるような効果を奏する。
（請求項１）
請求項１記載の発明によれば、次のような効果を奏する。
【００８４】
すなわち、請求項１記載の発明によれば、制御基板とその周囲の電気的接続手段に対する不正行為を防止すると同時に、制御基板を種々の電磁ノイズから保護することが可能な遊技機を提供することができる。
（請求項２又は３）
請求項２又は３記載の発明によれば、上記した請求項１記載の発明の効果に加え、次のような効果を奏する。
【００８５】
すなわち、請求項２又は３記載の発明によれば、遊技内容を変更するいわゆる台交換の際、必要最低限の部品を交換可能とし、資源の有効活用を図り経済性にも優れた遊技機を提供することができる。
（請求項４又は５）
請求項４又は５記載の発明によれば、上記した請求項１乃至３のいずれか１項に記載の発明の効果に加え、次のような効果を奏する。
【００８６】
すなわち、請求項４又は５記載の発明によれば、より不正行為防止に優れた遊技機を提供することができる。
【図面の簡単な説明】
【図１】本発明の第一の実施の形態であって、筐体ユニットの一部断面斜視図である。
【図２】本発明の第一の施の形態であって、分離型スロットマシンの分解斜視図である。
【図３】本発明の第一の実施の形態であって、分離型スロットマシンの本体から前扉３を外した分解斜視図である。
【図４】本発明の第一の実施の形態であって、分離型スロットマシンの縦断面図である。
【図５】本発明の第一の実施の形態であって、図４の部分拡大図である。
【図６】本発明の第一の実施の形態であって、カバー部材７０の他の例を示す分離型スロットマシンの部分拡大縦断面図である。
【図７】本発明の第一の実施の形態であって、図６の横断面図である。
【図８】本発明の第一の施の形態であって、図６及び図７の一部断面分解斜視図である。
【図９】本発明の第一の実施の形態であって、図８のカバー部材７０を取り付けた一部断面斜視図である。
【図１０】本発明の第一の実施の形態であって、カバー部材７０の他の例を示す分離型スロットマシンの部分拡大縦断面図である。
【図１１】本発明の第一の実施の形態であって、図１０の一部断面斜視図である。
【図１２】本発明の第一の実施の形態であって、カバー部材７０の他の例を示す分離型スロットマシンの横断面図である。
【図１３】本発明の第二の実施の形態であって、スロットマシンの縦断面図である。
【図１４】本発明の第二の実施の形態であって、図１３の一部断面斜視図である。
【図１５】本発明の第二の実施の形態であって、カバー部材７０の他の例を示すスロットマシンの横断面図である。
【図１６】本発明の第二の実施の形態であって、図１５の一部断面斜視図である。
【図１７】本発明の第二の実施の形態であって、カバー部材７０の他の例を示す筐体の一部断面斜視図である。
【図１８】本発明の実施の形態であって、封印手段８０を示す断面図である。
【図１９】本発明の実施の形態であって、封印手段８０を示す断面図である。
【符号の説明】
Ｓ  分離型スロットマシン        Ｓ’  スロットマシン
１  筐体ユニット
１０  固定装置                    １１  開口部
１２  中板                        １３  開口上部
１４  開口下部                    １５  底板
１６  側板                        １７  天板
１８  裏板
２  交換ユニット
２１  枠体                        ２２  リールユニット
２３  回転リール                  ２４  基板ユニット
２５  仕切り板                    ２６  切り欠き部
３  前扉
３０  上扉                        ３１  表示窓
３２  表示装置                    ３３  飾り部
３５  スピーカ
４０  下扉                        ４１  操作部
４２  メダル投入口                ４３  メダル受け
４４  鍵穴                        ４５  メダルセレクター
４  電源ユニット                ５  ホッパーユニット
７  ロック機構
５０  電気的接続手段              ５１  電気的配線手段
５２  筐体側コネクタ              ５３  交換ユニット側コネクタ
５４  配線カバー手段              ５５  コネクタブラケット
５６  基板側コネクタ
６１  筐体係合部                  ６２  枠体係合部
６３  上扉係合部                  ６４  下扉係合部
７０  カバー部材                  ７１  遮蔽板
７２  軸                          ７３  遮蔽板
７４  取り付け部材                ７５  カーテンレール
７６  カーテン
８０  封印手段                    ８１  封印シール
８２  封印ピン                    ８３  ループピン
８４  ピン取り付け部              ８５  ピン取り付け部材
９０  突出片
１００  筐体                        １１１  開口部
１１２  中板                        １１３  開口上部
１１４  開口下部                    １１５  底板
１１６  側板                        １１７  天板
１１８  裏板                        １３０  前扉
２２０  リールユニット              ２４０  基板ユニット
【図１】
2004254975.tif 000003
【図２】
2004254975.tif 000004
【図３】
2004254975.tif 000005
【図４】
2004254975.tif 000006
【図５】
2004254975.tif 000007
【図６】
2004254975.tif 000008
【図７】
2004254975.tif 000009
【図８】
2004254975.tif 000010
【図９】
2004254975.tif 000011
【図１０】
2004254975.tif 000012
【図１１】
2004254975.tif 000013
【図１２】
2004254975.tif 000014
【図１３】
2004254975.tif 000015
【図１４】
2004254975.tif 000016
【図１５】
2004254975.tif 000017
【図１６】
2004254975.tif 000018
【図１７】
2004254975.tif 000019
【図１８】
2004254975.tif 000020
【図１９】
2004254975.tif 000021